(57)【要約】【課題】ディスクドライブのヘッドを、破損を確実に回避してクリーニングする。【解決手段】ヘッド１２０に接触してこのヘッド１２０をクリーニングするためのクリーニング部材２０２が貼付されたディスク状のクリーナ２００と、ＤＶＤ５００が置かれるディスクトレー１０１を有するドライブユニット１５０が筐体１６０から露出した露出位置にあるときに、ディスクトレー１０１上に、クリーニング部材２０２がヘッド１２０に対面するように置かれたクリーナ２００を回転させずに、ヘッド１２０を移動させて、ヘッド１２０をクリーニング部材２０２に接触させることによりヘッド１２０をクリーニングするクリーニングシーケンスを実行するＣＰＵ１７０とを備えた。【選択図】        図２
2009230797.tif 000002
【特許請求の範囲】
【請求項１】
ディスク状の記憶媒体が置かれるトレーと、
前記トレー上に置かれた記憶媒体を回転駆動する駆動源と、
前記トレー上に置かれた記憶媒体に接離する方向および該記憶媒体の半径方向に移動し回転中のディスクをアクセスするヘッドとを有するドライブユニット、および、
前記ドライブユニットを、内部に収納した収納位置と、該収納位置からスライドして露出した露出位置との間でスライド自在に支持する筐体を備えたディスクドライブの前記ヘッドをクリーニングするクリーニングシステムであって、
前記記憶媒体に代えて前記トレーに置かれる、前記ヘッドに接触して該ヘッドをクリーニングするためのクリーニング部材が貼付されたディスク状のクリーナと、
前記ドライブユニットが前記露出位置にあるときに、該露出位置にあるドライブユニットの前記トレー上に前記クリーニング部材が前記ヘッドに対面するように置かれたクリーナを回転させずに、該ヘッドを移動させて、該ヘッドを該クリーニング部材に接触させることにより該ヘッドをクリーニングするクリーニングシーケンスを実行するクリーニング制御部とを備えたことを特徴とするクリーニングシステム。
【請求項２】
前記ドライブユニットが、前記収納位置にあるときの当該ドライブユニットを前記露出位置にスライドさせるための押ボタンを有し、
前記クリーニング制御部は、前記ドライブユニットが前記露出位置にあるときの前記押ボタンの長押しにより前記クリーニングシーケンスの実行を開始するものであることを特徴とする請求項１記載のクリーニングシステム。
【請求項３】
前記クリーニング制御部は、前記ヘッドが前記クリーナの前記クリーニング部材に断続的に接触するように、該ヘッドを、該クリーナに接離する方向に振動させるものであることを特徴とする請求項１又は２記載のクリーニングシステム。
【請求項４】
前記クリーニング制御部は、前記ヘッドが前記クリーナの前記クリーニング部材に断続的に接触するように、該ヘッドを、該クリーナに接離する方向に振動させるとともに、該ヘッドを、該クリーナの半径方向にも振動させるものであることを特徴とする請求項１又は２記載のクリーニングシステム。
【請求項５】
前記クリーナは、前記クリーニング部材が剥離自在に貼付されたものであることを特徴とする請求項１から４のうちいずれか１項記載のクリーニングシステム。
【請求項６】
前記クリーニング部材は、目の粗さが異なり前記クリーナの半径方向に該目の粗さの順に配列された複数のクリーニング部を有するものであり、
前記クリーニング制御部は、前記ヘッドを移動させて前記クリーニング部材に接触させるとともに、該ヘッドを、当該クリーナの半径方向に、該クリーニング部材の、目の粗い側から目の細かい側に向かって移動させるものであることを特徴とする請求項１から５のうちいずれか１項記載のクリーニングシステム。
【請求項７】
前記記憶媒体が、中央に円形の穴を有し、
前記駆動源が、前記記憶媒体の前記穴に嵌入して該記憶媒体に回転駆動力を与える駆動軸を有し、
前記クリーナが、中央に、前記駆動軸の太さよりも大きな内径を有する穴が設けられているものであることを特徴とする請求項１から６のうちいずれか１項記載のクリーニングシステム。
【請求項８】
前記ヘッドは、前記収納位置における、前記トレー上に置かれた記憶媒体に向けて光を出射して反射光を入射し、当該ディスクドライブは、前記反射光に基づいて前記記憶媒体上の情報を読み取るものであって、当該ディスクドライブがさらに、前記ヘッドが光を出射し前記ドライブユニットの前記トレー上に置かれた記憶媒体で反射された反射光を検出するセンサを有し、前記駆動源は該センサによる該反射光の検出を受けて該記憶媒体を回転駆動するものであり、
前記クリーナが、前記ヘッドが出射する光を透過させることにより前記センサによる反射光の検出を免れる材料で形成され、クリーニング部材が、該光に対する反射が抑えられることにより前記センサによる反射光の検出を免れる材料で形成されたものであることを特徴とする請求項１から６のうちいずれか１項記載のクリーニングシステム。
【請求項９】
ディスク状の記憶媒体が置かれるトレーと、
前記トレー上に置かれた記憶媒体を回転駆動する駆動源と、
前記トレー上に置かれた記憶媒体に接離する方向および該記憶媒体の半径方向に移動し回転中のディスクをアクセスするヘッドとを有するドライブユニット、および、
前記ドライブユニットを、内部に収納した収納位置と、該収納位置からスライドして露出した露出位置との間でスライド自在に支持する筐体を備えたディスクドライブであって、
前記ドライブユニットが前記露出位置にあるときに、該露出位置にあるドライブユニットの前記トレー上に、前記記憶媒体に代えて、前記ヘッドに接触して該ヘッドをクリーニングするためのクリーニング部材が貼付されたディスク状のクリーナが該クリーニング部材が前記ヘッドに対面するように置かれた状態において、該クリーナを回転させずに該ヘッドを移動させて該クリーナの該クリーニング部材に接触させることにより該ヘッドをクリーニングするクリーニングシーケンスを実行するクリーニング制御部とを備えたことを特徴とするディスクドライブ。
【請求項１０】
ディスク状の基板と、
前記基板に剥離自在に貼付された、クリーニング対象物に接触して該クリーニング対象物をクリーニングするためのクリーニング部材とを有することを特徴とするクリーナ。
【発明の詳細な説明】
【技術分野】
【０００１】
本発明は、ディスク状の記憶媒体に対し情報の記録や再生を行なうディスクドライブにおいて記憶媒体にアクセスするヘッドをクリーニングするクリーニングシステムと、そのようなクリーニングシステムに適用されるディスクドライブと、上記のようなクリーニングシステムで使われるクリーナとに関する。
【背景技術】
【０００２】
近年、高い記録密度で情報を記録することができる記憶媒体として、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等の、光によって情報の記録や再生が行われるディスク状の記憶媒体が普及している。このような記憶媒体に対する情報の記録や再生は、記憶媒体の種類に応じたディスクドライブが利用される。ディスクドライブには、記憶媒体に向けてレーザ光を出射したり、記憶媒体からの反射光を入射したりすることで、情報の記録や再生のときに記憶媒体にアクセスするヘッドが備えられている。また、このヘッドでは、レーザ光を出射したり反射光を入射したりするする部分がレンズとなっており、ヘッドにおけるこのレンズの集光により、記憶媒体に対する高密度での情報の記録や再生が行われるようになっている。
【０００３】
ところで、このヘッドのレンズは、ディスクドライブが使用されるにつれて、埃やタバコのやに等が付着して汚れてくる。このようなレンズの汚れはアクセス不良等の不具合を招くおそれがあるため、ヘッドのレンズは、適宜にクリーニングされる必要がある。
【０００４】
従来、ヘッドのレンズに対するクリーニングには、ハケや布等のクリーニング部材が貼付されたクリーナが用いられている（例えば、特許文献１）。このようなクリーナを用いたクリーニングは、ディスクドライブに、記憶媒体に代えてクリーナが搭載され、上記のハケや布等のクリーニング部材をヘッドのレンズに接触させることで行われる。記憶媒体は、アクセス時にはディスクドライブ内で回転される。この回転機能を利用し、ディスクドライブに搭載されたクリーナが回転されると、ヘッドのレンズが上記のクリーニング部材で摺擦されて汚れが除去されることとなる。
【０００５】
ここで、近年では、ディスクドライブでのアクセスの高速化が著しく、その結果、ディスクドライブ内における記憶媒体の回転速度が非常に高くなっている。近年におけるこのような状況下では、クリーニングの際にヘッドのレンズが上記のクリーニング部材で高速で摺擦されることとなり、摺擦による負荷でヘッドが破損してしまうおそれが出てきている。
【０００６】
そこで、例えば、クリーナに、自身がクリーナであることを示す識別情報を記録しておき、ディスクドライブにクリーナが搭載されると、この識別情報を読み取ることでこの搭載されたディスクがクリーナであることをディスクドライブが認識し、その認識後にはクリーナを回転させずに、ヘッドを動かしてレンズをクリーニング部材に接触させることで上記のような破損を抑えてレンズのクリーニングを行うという技術が提案されている（例えば、特許文献２参照）。また、上記のようなクリーナを用いずに、ヘッドを振動させてレンズの汚れを振るい落とすという技術も提案されている（例えば、特許文献３参照）。
【特許文献１】特開平７−３２６０２５号公報
【特許文献２】特開平６−２６７０９８号公報
【特許文献３】特開２００２−１５４４７号公報
【発明の開示】
【発明が解決しようとする課題】
【０００７】
しかしながら、クリーナを認識して回転させずにレンズのクリーニングを行うという技術では、ディスクドライブにおける上記の識別情報の読取りの際に、短時間とはいえクリーナが回転されてしまう。近年のように、回転速度が高まっている状況下では、このような短時間の回転でもヘッドに与える負荷が大きく、上記のような破損を確実に回避することは困難である。また、ヘッドを振動させてレンズの汚れを振るい落とすという技術では、単にヘッドを振動させるだけなので、例えばタバコのやにのような粘着質の汚れを除去することは難しい。
【０００８】
本発明は、上記事情に鑑み、ディスクドライブのヘッドを、破損を確実に回避してクリーニングすることができるクリーニングシステムと、そのようなクリーニングシステムに適用されるディスクドライブと、上記のようなクリーニングシステムで使われるクリーナとを提供することを目的とする。
【課題を解決するための手段】
【０００９】
上記目的を達成するクリーニングシステムの基本形態は、
ディスク状の記憶媒体が置かれるトレーと、
上記トレー上に置かれた記憶媒体を回転駆動する駆動源と、
上記トレー上に置かれた記憶媒体に接離する方向およびその記憶媒体の半径方向に移動し回転中のディスクをアクセスするヘッドとを有するドライブユニット、および、
上記ドライブユニットを、内部に収納した収納位置と、その収納位置からスライドして露出した露出位置との間でスライド自在に支持する筐体を備えたディスクドライブの上記ヘッドをクリーニングするクリーニングシステムであって、
上記記憶媒体に代えて上記トレーに置かれる、上記ヘッドに接触してそのヘッドをクリーニングするためのクリーニング部材が貼付されたディスク状のクリーナと、
上記ドライブユニットが上記露出位置にあるときに、その露出位置にあるドライブユニットの上記トレー上に上記クリーニング部材が上記ヘッドに対面するように置かれたクリーナを回転させずに、そのヘッドを移動させて、そのヘッドをそのクリーニング部材に接触させることによりそのヘッドをクリーニングするクリーニングシーケンスを実行するクリーニング制御部とを備えたことを特徴とする。
【００１０】
このクリーニングシステムの基本形態によれば、クリーナを回転させずに行われる上記ヘッドのクリーニングが、上記ドライブユニットが上記露出位置にあるときに実行される。一般的なディスクドライブでは、上記のようなドライブユニットが筐体に収納された状態で記録媒体が回転駆動される。このクリーニングシステムの基本形態によれば、上記ドライブユニットが上記露出位置にある状態でクリーニングが行われるので、例えば、クリーニングの前にクリーナが瞬間的に回転されること等といった意図しない回転が確実に排除されたうえでヘッドのクリーニングが実行される。このため、クリーニング時にヘッドに掛かる力が抑えられ、ヘッドの破壊が回避されることとなる。また、このクリーニングは、上記クリーニング部材に上記ヘッドを接触させることで行われるので、汚れを確実に除去することができる。つまり、このクリーニングシステムの基本形態によれば、ディスクドライブのヘッドを、破損を確実に回避してクリーニングすることができる。
【００１１】
また、上記目的を達成するディスクドライブの基本形態は、
ディスク状の記憶媒体が置かれるトレーと、
上記トレー上に置かれた記憶媒体を回転駆動する駆動源と、
上記トレー上に置かれた記憶媒体に接離する方向およびその記憶媒体の半径方向に移動し回転中のディスクをアクセスするヘッドとを有するドライブユニット、および、
上記ドライブユニットを、内部に収納した収納位置と、その収納位置からスライドして露出した露出位置との間でスライド自在に支持する筐体を備えたディスクドライブであって、
上記ドライブユニットが上記露出位置にあるときに、その露出位置にあるドライブユニットの上記トレー上に、上記記憶媒体に代えて、上記ヘッドに接触してそのヘッドをクリーニングするためのクリーニング部材が貼付されたディスク状のクリーナがそのクリーニング部材が上記ヘッドに対面するように置かれた状態において、そのクリーナを回転させずにそのヘッドを移動させてそのクリーナのそのクリーニング部材に接触させることによりそのヘッドをクリーニングするクリーニングシーケンスを実行するクリーニング制御部とを備えたことを特徴とする。
【００１２】
このディスクドライブの基本形態によれば、このディスクドライブを上述のクリーニングシステムに組み込み、上記クリーナと共に用いることで、ディスクドライブのヘッドを、破損を確実に回避してクリーニングすることができる。
【００１３】
また、上記目的を達成するクリーナの基本形態は、
ディスク状の基板と、
上記基板に剥離自在に貼付された、クリーニング対象物に接触してそのクリーニング対象物をクリーニングするためのクリーニング部材とを有することを特徴とする。
【００１４】
このクリーナの基本形態によれば、このクリーナを上述のクリーニングシステムに組み込み、上記ディスクドライブと共に用いることで、ディスクドライブのヘッドを、破損を確実に回避してクリーニングすることができる。
【発明の効果】
【００１５】
以上、説明したように、クリーニングシステム、ディスクドライブ、およびクリーナそれぞれの基本形態によれば、ディスクドライブのヘッドを、破損を確実に回避してクリーニングすることができる。
【発明を実施するための最良の形態】
【００１６】
基本形態について上記に説明したクリーニングシステム、ディスクドライブ、およびクリーナに対する具体的な実施形態を、以下図面を参照して説明する。
【００１７】
図１は、ディスクドライブの具体的な実施形態が搭載されたパーソナルコンピュータを示す図である。
【００１８】
この図１のパーソナルコンピュータ１０は、各種処理が実行される本体装置１１と、本体装置１１での処理に関連する各種情報等が表示されるモニタ１２と、本体装置１１への情報入力のためにユーザによって操作されるキーボード１３およびマウス１４とを備えており、さらに、本体装置１１には、ディスク状の記憶媒体の一例であるＤＶＤに対する情報の記録と再生とを行うＤＶＤドライブ１００が搭載されている。本実施形態では、このＤＶＤドライブ１００が、ディスクドライブの具体的な実施形態に相当する。また、このＤＶＤドライブ１００は、上述のクリーニングシステムの基本形態におけるディスクドライブの一例に相当する。
【００１９】
このＤＶＤドライブ１００は、レーザ光を使ってＤＶＤに情報の記録や再生を行うものであり、ＤＶＤに向けてレーザ光を出射したり、ＤＶＤからの反射光を入射したりすることで、情報の記録や再生のときにＤＶＤにアクセスする光学ヘッドを備えている。そして、この光学ヘッドでは、レーザ光を出射したり反射光を入射したりするする部分がレンズとなっている。この光学ヘッドのレンズは、パーソナルコンピュータ１０が使用されるにつれて、埃やタバコのやに等が付着して汚れてくる。このようなレンズの汚れは、アクセス不良等の不具合を招くおそれがあるため、光学ヘッドのレンズは、適宜にクリーニングされる必要がある。
【００２０】
本実施形態では、このＤＶＤドライブが備える光学ヘッドのレンズが、以下に説明するクリーニングシステムによってクリーニングされるようになっている。
【００２１】
以下、本実施形態について、このクリーニングシステムに注目した説明を行う。
【００２２】
図２は、図１に示すＤＶＤドライブの詳細と、このＤＶＤドライブが備える光学ヘッドのレンズをクリーニングするクリーニングシステムとを示す図である。
【００２３】
この図２には、図１のパーソナルコンピュータ１０に搭載されているＤＶＤドライブ１００が、このパーソナルコンピュータ１０から取り出された状態で示されている。
【００２４】
クリーニングシステムに先立って、まず、このＤＶＤドライブ１００の詳細について説明する。
【００２５】
このＤＶＤドライブ１００は、ＤＶＤ５００が置かれるディスクトレー１０１、このディスクトレー１０１上に置かれたＤＶＤ５００を回転駆動する駆動源１１０、回転中のＤＶＤ５００をアクセスする光学ヘッド１２０、および、この光学ヘッド１２０のレンズ１２１をディスクトレー１０１上に置かれたＤＶＤ５００に接離する方向およびＤＶＤ５００の半径方向に移動させる移動機構１３０を有するドライブユニット１５０を備えている。さらに、ＤＶＤドライブ１００は、このドライブユニット１５０を、内部に収納した収納位置と、収納位置からスライドして露出した露出位置との間でスライド自在に支持する筐体１６０と、上記の駆動源１１０や光学ヘッド１２０や移動機構１３０等の動作を制御するＣＰＵ１７０とを備えている。
【００２６】
ドライブユニット１５０のディスクトレー１０１には、図中手前側の前面パネルに、このドライブユニット１５０を筐体１６０からスライドさせるときにユーザによって操作されるイジェクトボタン１０２が備えられている。ドライブユニット１５０が上記の収納位置にあるときに、ユーザがイジェクトボタン１０２を押すと、ユーザがディスクトレー１０１を掴める位置まで、不図示のバネによってドライブユニット１５０が筐体１６０から押し出される。ユーザが、その押し出されてきたドライブユニット１５０のディスクトレー１０１を掴んで引くことで、ドライブユニット１５０は筐体１６０から上記の露出位置までスライドされる。また、収納位置へのドライブユニット１５０のスライドは、ユーザが、ディスクトレー１０１を筐体１６０に押し込むことで行われる。
【００２７】
ディスクトレー１０１には、ＤＶＤ５００の形状に応じた円形状の窪み１０１ａが設けられている。上記のようにドライブユニット１５０が露出位置までスライドされると、この窪み１０１ａが露出され、ＤＶＤ５００が、情報の記録面５０１を窪み１０１ａの底に向けて、この窪み１０１ａの中に置かれる。
【００２８】
また、ディスクトレー１０１には、窪み１０１ａの底の中央に、ＤＶＤ５００を回転駆動する上記の駆動源１１０が配置されている。
【００２９】
この駆動源１１０は、上記のＣＰＵ１７０からの制御により、ＤＶＤ５００を、ドライブユニット１５０が上記の収納位置にあるときに回転駆動するもので、上記の窪み１０１ａの底から突出した駆動軸１１１を備えている。ＤＶＤ５００の中央には、円形の穴５０２が設けられている。そして、上記の駆動軸１１１が、ＤＶＤ５００の円形の穴５０２に嵌入し、駆動源１１０に対するＣＰＵ１７０からの制御に応じて、収納位置にあるドライブユニット１５０のディスクトレー１０１に置かれたＤＶＤ５００に回転駆動力を与える。
【００３０】
また、ディスクトレー１０１には、窪み１０１ａの底に、このディスクトレー１０１に置かれたＤＶＤ５００の記録面５０１に向けてレーザ光を出射したり、この記録面５０１からの反射光を入射したりする上記の光学ヘッド１２０が取り付けられている。また、この光学ヘッド１２０は、レーザ光の出射口と入射口を兼ねるレンズ１２１を、ディスクトレー１０１に置かれたＤＶＤ５００に接離する、図中の矢印Ｄ１が示す接離方向に動かすとともに、この光学ヘッド１２０ごとレンズ１２１をＤＶＤ５００の半径に沿う図中の矢印Ｄ２が示す半径方向に動かす移動機構１３０によって、ディスクトレー１０１の窪み１０１ａの底に取り付けられている。
【００３１】
ここで、ドライブユニット１５０は、上述のクリーニングシステムおよびディスクドライブの各基本形態におけるドライブユニットの一例に相当し、筐体１６０は、これらの基本形態における筐体の一例に相当し、ＣＰＵ１７０が、これらの基本形態におけるクリーニング制御部の一例に相当する。また、ディスクトレー１０１は、上述のクリーニングシステムおよびディスクドライブの各基本形態におけるトレーの一例に相当し、駆動源１１０は、これらの基本形態における駆動源の一例に相当する。さらに、光学ヘッド１２０のレンズ１２１と移動機構１３０とを合わせたものが、これらの基本形態におけるヘッドの一例に相当する。
【００３２】
図３は、図２に示すヘッドと移動機構とを詳細に示す図である。
【００３３】
光学ヘッド１２０は、上記のレンズ１２１と、レーザ光Ｌ１を発するレーザ１２２と、このレーザ１２２が発したレーザ光Ｌ１を反射するミラー１２３と、そのミラー１２３で反射されたレーザ光Ｌ１を、ディスクトレー１０１に置かれたＤＶＤ５００の記録面５０１に向かってレンズ１２１の方に反射すると共に、その記録面５０１で反射されレンズ１２１を通って帰ってくる反射光を透過させるハーフミラー１２４と、ハーフミラー１２４を透過した上記の反射光を受光して、その反射光の強度に応じた電気信号を出力する受光素子１２５とを備えている。
【００３４】
ＤＶＤ５００の記録面５０１に対する情報の記録の際には、レーザ１２２が発したレーザ光Ｌ１がレンズ１２１で集光されて記録面５０１に照射される。ＤＶＤ５００の記録面５０１は、光が照射されることで反射率が変化する物質で形成されており、上記のように照射されたレーザ光Ｌ１の照射箇所の反射率が、そのレーザ光Ｌ１の強度に応じた反射率に変化する。情報の記録の際には、記録面５０１に対するこのようなレーザ光Ｌ１の照射が、上記の駆動源１１０によってＤＶＤ５００が回転している状態で行われる。また、情報の記録の際には、レーザ１２２は、その情報に応じて強度が変調されたレーザ光Ｌ１を発する。その結果、記録面５０１には、ＤＶＤ５００の円周に沿って、上記の情報に応じた反射率の変化が生じる。ＤＶＤ５００には、この円周に沿った反射率の変化によって情報が記録される。また、この光学ヘッド１２０は、詳細について後述する移動機構１３０によって、上述したように図中の矢印Ｄ２が示す半径方向に動かされるようになっている。これにより、記録面５０１には、情報が、同心円状の複数の列（トラック）となって記録されることとなる。さらに、本実施形態では、光学ヘッド１２０のレンズ１２１が、移動機構１３０によって、図中の矢印Ｄ１が示す接離方向に動かされるようになっている。これによって、記録面５０１に対してレンズ１２１の焦点が精密に合わされ、情報が、記録面５０１に高密度で記録されることとなる。
【００３５】
一方、ＤＶＤ５００の記録面５０１に対する情報の再生の際には、レーザ１２２が、上記のような反射率の変化を引き起こさない程度の弱めのレーザ光Ｌ１を発し、そのレーザ光Ｌ１が上述した光路を経由して記録面５０１に照射される。また、この際には、記録面５０１上の複数のトラックのうち、再生すべき情報が記録されているトラックにレーザ光Ｌ１が精密に集光されて照射されるように、光学ヘッド１２０全体およびレンズ１２１が移動機構１３０によって動かされ、さらに、ＤＶＤ５００が駆動源１１０によって回転駆動されて、上記のトラックが、照射されたレーザ光Ｌ１によってなぞられることとなる。さらに、レーザ光Ｌ１でトラックをなぞる際には、レーザ光Ｌ１がトラックから外れないように光学ヘッド１２０のレンズ１２１が移動機構１３０によって図中の矢印Ｄ２が示す半径方向に精密に動かされる。記録面５０１に照射されたレーザ光Ｌ１は、その照射された箇所の反射率に応じた強度の反射光となって帰ってくる。そして、その反射光が受光素子１２５で受光されて、受光素子１２５がその反射光の強度に応じた電気信号を出力する。このとき、記録面５０１に照射されたレーザ光Ｌ１が上記のトラックをなぞるので、受光素子１２５からは、そのトラックに記録されていた情報を表わす電気信号が出力されることとなる。
【００３６】
次に、移動機構１３０について説明する。
【００３７】
この移動機構１３０は、光学ヘッド１２０のレーザ１２２とミラー１２３とハーフミラー１２４と受光素子１２５とが固定される台１３１と、図中の矢印Ｄ１が示す接離方向と矢印Ｄ２が示す半径方向とに移動自在に台１３１に支持され、光学ヘッド１２０のレンズ１２１が固定されるレンズ枠１３２とを備えている。
【００３８】
さらに、移動機構１３０は、図中の矢印Ｄ２が示す半径方向に沿って配置されたボールネジ１３３と、そのボールネジ１３３が螺合し、上記の台１３１に固定されているネジ受け部１３４とを備えている。移動機構１３０は、ボールネジ１３３を回転駆動して、ネジ受け部１３４および台１３１を、矢印Ｄ２が示す半径方向に動かすことで、光学ヘッド１２０ごとレンズ１２１をこの半径方向に動かす。
【００３９】
また、移動機構１３０は、上記のレンズ枠１３２を挟む２つのコイル１３５と、レンズ枠１３２をこれら２つのコイル１３５越しに挟む２つの磁石１３６とを備えている。移動機構１３０は、上記の２つのコイル１３５それぞれに流す電流を適宜に変化させて、レンズ枠１３２を、矢印Ｄ１が示す接離方向に動かすことで、光学ヘッド１２０のレンズ１２１をこの接離方向に動かすとともに、矢印Ｄ２が示す半径方向に動かすことでレンズ１２１を半径方向に動かす。
【００４０】
図２のＤＶＤドライブ１００では、上記のようにＤＶＤ５００がディスクトレー１０１に置かれたドライブユニット１５０が筐体１６０に収納されると、まず、光学ヘッド１２０のレンズ１２１がレーザ光を出射する。そして、そのレーザ光が、ＤＶＤ５００の記録面５０１で反射されて反射光として上記の受光素子１２５で受光されることで、ＤＶＤドライブ１００では、ディスクトレー１０１にＤＶＤ５００が置かれていることが認識される。一方、ディスクトレー１０１に何も置かれていないドライブユニット１５０が筐体１６０に収納された場合等には、受光素子１２５における反射光の受光が無いので、ＤＶＤドライブ１００では、ディスクトレー１０１が空であることが認識される。そして、このようにディスクトレー１０１が空であることが認識された場合には、図１に示す、このＤＶＤドライブ１００が搭載されているパーソナルコンピュータ１０のモニタ１２に、その旨を示すメッセージが表示される。
【００４１】
ＤＶＤドライブ１００において、上記のようにディスクトレー１０１にＤＶＤ５００が置かれていることが認識されると、上記の駆動源１１０がＤＶＤ５００を回転駆動し、さらに、移動機構１３０が、光学ヘッド１２０ごとレンズ１２１を、情報を記録あるいは再生すべきトラックに対応する位置まで矢印Ｄ２が示す半径方向に運ぶとともに、光学ヘッド１２０のレンズ１２１を矢印Ｄ１が示す接離方向に動かして焦点を調節する。そして、光学ヘッド１２０のレンズ１２１が出射したレーザ光が、回転されているＤＶＤ５００の上記のトラックをなぞることで、情報の記録あるいは再生が行われる。
【００４２】
本実施形態では、情報の記録および再生の際における、上記に説明したような、レーザ１２２からのレーザ光Ｌ１の発射、所望のトラックまでの光学ヘッド１２０の半径方向の移動、レンズ１２１の接離方向の移動による焦点合わせ、および、レーザ光Ｌ１でトラックをなぞるときのレンズ１２１の半径方向の精密移動等が、光学ヘッド１２０や移動機構１３０に対する図２のＣＰＵ１７０の制御によって行われる。
【００４３】
次に、この図２に示されている、上記の光学ヘッド１２０のレンズ１２１をクリーニングするクリーニングシステム３００について説明する。
【００４４】
このクリーニングシステム３００は、クリーニングの際に上記のＤＶＤ５００に代えてディスクトレー１０１に置かれるクリーナ２００と、上記のＤＶＤドライブ１００自身とで構成されている。クリーナ２００には、ディスクトレー１０１に置かれたときに窪み１０１ａの底側となるクリーニング面２０１ａに後述のクリーニング部材２０２が貼付されている。このクリーニングシステム３００は、ＤＶＤドライブ１００における上記の移動機構１３０の機能を利用して、光学ヘッド１２０のレンズ１２１を動かしてクリーニング部材２０２に接触させることで、このレンズ１２１の汚れを除去するというものである。ここで、上記のクリーナ２００が、基本形態について説明したクリーナの一実施形態に相当し、また、上述のクリーニングシステムおよびディスクドライブの各基本形態におけるクリーナの一例に相当する。
【００４５】
まず、クリーナ２００について説明する。
【００４６】
このクリーナ２００は、ＤＶＤ５００と同様のディスク形状を有し、上記の駆動軸１１１の太さよりも大きな内径の円形の穴２０３が中央に設けられたディスク基板２０１と、このディスク基板２０１における上記のクリーニング面２０１ａに剥離自在に貼付されたクリーニング部材２０２とで構成されている。ここで、上記のディスク基板２０１が、上述のクリーナの基本形態における基板の一例に相当し、クリーニング部材２０２が、上述のクリーニングシステム、ディスクドライブ、およびクリーナの各基本形態におけるクリーニング部材の一例に相当する。
【００４７】
本実施形態では、クリーニング部材２０２は、柔らかい繊維が基材に植毛されたブラシ２０２ａと、フェルト２０２ｂと、フセン紙２０２ｃとで形成されており、このクリーニング部材２０２が上記のクリーニング面２０１ａに貼付されたときに、クリーナ２００の中心側から、ブラシ２０２ａ、フェルト２０２ｂ、フセン紙２０２ｃの順で並ぶようにこれら３種類の素材が互いに繋ぎ合わされている。これら３種類の素材は、ブラシ２０２ａ、フェルト２０２ｂ、フセン紙２０２ｃの順で目が細かくなっている。
【００４８】
以下、このクリーナ２００と上記のＤＶＤドライブ１００からなるクリーニングシステム３００で実行されるクリーニング処理について説明する。
【００４９】
図４は、図２に示すクリーニングシステムで実行されるクリーニング処理を示すフローチャートである。
【００５０】
この図４のフローチャートが示すクリーニング処理は、例えば、ＤＶＤ５００に対する情報の再生時に再生不良が発生すること等により、光学ヘッド１２０のレンズ１２１に対するクリーニングの必要性を認識したユーザによって始められる。
【００５１】
まず、ユーザが、図２に示すイジェクトボタン１０２を操作してドライブユニット１５０を上記の露出位置まで筐体１６０からスライドさせ（ステップＳ１０１）、露出位置にあるドライブユニット１５０のディスクトレー１０１に上記のクリーナ２００を置く（ステップＳ１０２）。ここで、このステップＳ１０２では、クリーナ２００は、上記のクリーニング部材２０２が、光学ヘッド１２０のレンズ１２１に対面するようにディスクトレー１０１に置かれる。次に、ユーザが、ドライブユニット１５０が露出位置にある状況下で、イジェクトボタン１０２を３０秒間押し続けると（ステップＳ１０３）、ＤＶＤドライブ１００において、上記のＣＰＵ１７０の制御により、次のようなクリーニングシーケンスが実行される。
【００５２】
まず、ＣＰＵ１７０によって、ドライブユニット１５０が露出位置にあるか否かが確認される（ステップＳ１０４）。
【００５３】
ドライブユニット１５０が露出位置にあることが確認された場合（ステップＳ１０４におけるＹｅｓ判定）には次の処理（ステップＳ１０５）に進む。一方、例えばユーザが誤ってドライブユニット１５０を筐体１６０に挿入してしまった等の理由によりドライブユニット１５０が上記の収納位置にあり、その結果、ドライブユニット１５０が露出位置にあることが確認されなかった場合（ステップＳ１０４におけるＮｏ判定）には、このＤＶＤドライブ１００が搭載されている図１のパーソナルコンピュータ１０のモニタ１２に所定のエラーメッセージが表示されて（ステップＳ１０６）、この処理が終了する。尚、本実施形態では、上記のようにイジェクトボタン１０２が３０秒間押された後であれば、ドライブユニット１５０が収納位置にあっても、上記の駆動源１１０の駆動軸１１１が回転して回転駆動力を発することなく、モニタ１２にエラーメッセージが表示される。
【００５４】
ステップＳ１０５では、まず、ＣＰＵ１７０が、上記の移動機構１３０の、図２中の矢印Ｄ２が示す半径方向に光学ヘッド１２０を移動する機能を使って、設計段階で予め与えられている、上記のブラシ２０２に対面する位置にレンズ１２１が配置されるように、光学ヘッド１２０を半径方向に移動させる。そして、その移動が終了すると、次に、ＣＰＵ１７０は、上記の移動機構１３０の、図２中の矢印Ｄ１が示す接離方向にレンズを動かす機能を使って、レンズ１２０がブラシ２０２に断続的に接触するようにこのレンズ１２０を接離方向に振動させる。さらに、ＣＰＵ１７０は、その振動と同時に、上記の移動機構１３０の、半径方向に光学ヘッド１２０を移動する機能を使って、光学ヘッド１２０をこの半径方向にも振動させる。ステップＳ１０５では、このような２方向についての振動が所定時間に亘って続けられ、このような振動によるレンズ１２０とブラシ２０２との接触によってレンズ１２０がクリーニングされる。
【００５５】
以上に説明したステップＳ１０５の処理が終了すると、ＣＰＵ１７０によって、このステップＳ１０５のクリーニングが３回実行されたか否かが判定される（ステップＳ１０７）。上記のように、レンズ１２０とブラシ２０２との接触によるクリーニングが行われた段階では、まだ、ステップＳ１０５のクリーニングは１回しか実行されていないので、ステップＳ１０７では、３回実行されていないとの判定（Ｎｏ判定）がなされる。
【００５６】
この場合には、ＣＰＵ１７０が、移動機構１３０の、半径方向に光学ヘッド１２０を移動する機能を使って、光学ヘッド１２０をこの半径方向に、クリーナ２００の外周に向かって所定距離だけ移動させ、光学ヘッド１２０のレンズ１２１を、クリーニング部材２０２における外周側に隣接する素材に対面する位置に配置する（ステップＳ１０８）。そして、この配置が終了すると、処理がステップＳ１０５に戻り、レンズ１２０とこの隣接する素材との接触によるクリーニングが行われる。
【００５７】
本実施形態では、ステップＳ１０５でのクリーニングと、ステップＳ１０８での移動とが、ステップＳ１０７において、ステップＳ１０５のクリーニングが３回実行されたとの判定（Ｙｅｓ判定）がなされるまで繰り返される。これにより、レンズ１２０とブラシ２０２との接触によるクリーニング、レンズ１２１とフェルト２０２ｂとの接触によるクリーニング、および、レンズ１２１とフセン紙２０２ｃとの接触によるクリーニングとが順次に行われる。ここで、上述したように、ブラシ２０２とフェルト２０２ｂとフセン紙２０２ｃとは、この順番で目が細かくなっている。このため、上記のような３回のクリーニングによって、相対的に粗いクリーニングによって埃等の大き目の汚れが除かれ、次に、相対的に中程度の粗さのクリーニングによって中程度の埃やタバコのやにの一部等が拭われ、最後に、相対的に細かなクリーニングによって汚れの残滓等が除かれて仕上げられるという３段階のクリーニングが順次に行われ、光学ヘッド１２０のレンズ１２１の汚れが確実に除去されることとなる。そして、このような３段階のクリーニングが全て終了すると（ステップＳ１０７におけるＹｅｓ判定）、このフローチャートが示すクリーニング処理が終了する。ここで、このフローチャートにおける、ステップＳ１０４からステップＳ１０８に至る一連の処理が、上述のクリーニングシステムおよびディスクドライブの基本形態におけるクリーニングシーケンスの一例に相当する。
【００５８】
以上に説明したように、本実施形態のクリーニングシステム３００によるクリーニングによれば、光学ヘッド１２０のレンズ１２１とクリーニング部材２０２との接触が、ドライブユニット１５０が露出位置にあるときに、クリーナ２００を全く回転させることなく行われる。このため、クリーニング時にレンズ１２１に掛かる力が抑えられるので、例えばレンズ１２１が脱落してしまう等といった光学ヘッド１２０の破損が回避されることとなる。また、本実施形態のクリーニングシステム３００では、クリーニング部材２０２にレンズ１２１を接触させることでレンズ１２１が確実にクリーニングされるようになっているが、この接触を、上述したようなレンズ１２１の振動によって行うことで、このクリーニングの効果が高められている。さらに、本実施形態のクリーニングシステム３００では、上記のような段階的なクリーニングが実現されて、クリーニングの効果がさらに高められている。
【００５９】
また、本実施形態のクリーニングシステム３００においてクリーニングが繰り返し行われると、クリーナ２００のクリーニング部材２０２が汚れ、徐々にクリーニングの効果が低下してくる。ここで、本実施形態では、クリーニング部材２０２は、上述したように、クリーナ２００を構成するディスク基板２０１に剥離自在に貼付されている。これにより、上記のように汚れてきたクリーニング部材２０２を、新品のクリーニング部材と簡単に交換することができ、上記のようなクリーニングの効果を復活させることができる。
【００６０】
ここで、図４のフローチャートに従って処理が推移したときには、ＤＶＤドライブ１００では、上述のように、図２に示す駆動源１１０の駆動軸１１１が回転しないようになっている。しかし、例えば、クリーナ２００がディスクトレー１０１に置かれた後、イジェクトボタン１０２が押されることなく誤ってドライブユニット１５０が筐体１６０に収納された場合等には、ＤＶＤドライブ１００では、ＤＶＤ５００がディスクトレー１０１に置かれたドライブユニット１５０が筐体１６０に収納されたときと同様に、駆動軸１１１が回転してしまう。
【００６１】
ところで、クリーナ２００を構成するディスク基板２０１の中央には、上述したように、駆動軸１１１の太さよりも大きな内径の円形の穴２０３が設けられている。このため、上記のように、クリーナ２００がディスクトレー１０１に置かれたドライブユニット１５０が誤って筐体１６０に収納された場合には、駆動軸１１１が空回りしてクリーナ２００が回転駆動されず、光学ヘッド１２０の破損が回避されることとなる。
【００６２】
このように、本実施形態のクリーニングシステム３００では、ドライブユニット１５０が誤って筐体１６０に収納された場合にクリーナ２００を回転させないために、ディスク基板２０１の中央に大きな内径の円形の穴２０３が設けられたクリーナ２００が使われている。尚、このような誤収納の際にクリーナを回転させない方法は以下に説明するように他にも有り、この他の方法を採用した別形態のクリーナと上述のＤＶＤドライブ１００とを組み合わせて別形態のクリーニングシステムを構成しても良い。
【００６３】
以下、この別形態のクリーナについて説明する。
【００６４】
図５は、別形態のクリーナを示す図である。
【００６５】
この図５に示すクリーナ４００は、上記のＤＶＤ５００の中央に設けられている円形の穴５０２と同径の円形の穴４０３が中央に設けられたディスク基板４０１と、図２のクリーニング部材２０２と同様に、ディスク基板４０１の中央側からブラシ４０２ａとフェルト４０２ｂとフセン紙４０２ｃとが繋ぎ合わされ、ディスク基板４０１に剥離自在に貼付されたクリーニング部材４０２とで構成されている。このクリーナ４００も、基本形態について説明したクリーナの一実施形態に相当し、また、上述のクリーニングシステムおよびディスクドライブの各基本形態におけるクリーナの一例に相当する。また、上記のディスク基板４０１も、上述のクリーナの基本形態における基板の一例に相当し、上記のクリーニング部材４０２も、上記の各基本形態におけるクリーニング部材の一例に相当する。
【００６６】
ここで、この図５のクリーナ４００では、ディスク基板４０１が、光学ヘッド１２０からのレーザ光Ｌ１を透過させる材料で形成され、さらに、クリーニング部材２０２を構成するブラシ４０２ａとフェルト４０２ｂとフセン紙４０２ｃとのそれぞれが、上記のレーザ光Ｌ１に対する反射が抑えられた材料で形成されている。
【００６７】
ここで、上記のＤＶＤドライブ１００では、筐体１６０に挿入されたディスクトレー１０１上のディスクの存在が、上述したように、光学ヘッド１２０が出射したレーザ光Ｌ１に対する反射光の検出によって認識される。上記の別形態のクリーナ４００では、ディスク基板４０１がこのレーザ光Ｌ１を透過させ、クリーニング部材２０２ではレーザ光Ｌ１に対する反射が抑えられる。
【００６８】
このため、例えば、別形態のクリーナ４００が、ディスクトレー１０１に、クリーニング部材４０２が光学ヘッド１２０に対面するように置かれた状態で、ドライブユニット１５０が筐体１６０に収納されたときには、ディスクの存在を確認するためのレーザ光Ｌ１がクリーニング部材２０２で十分に反射されず、また、この別形態のクリーナ４００が、ディスクトレー１０１に、クリーニング部材４０２が貼付されていない部分のディスク基板４０１が光学ヘッド１２０に対面するように置かれた状態で、ドライブユニット１５０が筐体１６０に収納されたときには、上記のレーザ光Ｌ１がディスク基板４０１を透過してしまう。つまり、この別形態のクリーナ４００が、どのような状態でディスクトレー１０１に置かれたとしても、ドライブユニット１５０が誤って筐体１６０に収納されたときに、受光素子１２５による、ディスクの存在を認識するのに十分な強度を有する反射光の受光が無いので、上記のＤＶＤドライブ１００ではディスクトレーが空であると認識され、その結果、上記の駆動軸１１１の回転自体が行われないこととなる。このように、この別形態のクリーナ４００によれば、上記のような誤収納の際に、受光素子１２５による反射光の検出を免れることによりＤＶＤドライブ１００に対して自身の存在を隠し、回転駆動が行われないようにすることで、光学ヘッド１２０の破損が回避されることとなる。尚、この別形態のクリーナ４００と上述のＤＶＤドライブ１００とを組み合わせた別形態のクリーニングシステムでも、図２に示す本実施形態のクリーニングシステム３００と同様に、光学ヘッド１２０の破損を確実に回避して良好なクリーニングの効果が得られることはいうまでもない。また、この別形態のクリーニングシステムも、基本形態について説明したクリーニングシステムの一実施形態に相当する。
【００６９】
尚、上記では、ディスクドライブの一実施形態として、パーソナルコンピュータ１０に搭載されたＤＶＤドライブ１００を例示したが、このディスクドライブはこれに限るものではなく、例えば、テレビジョンに接続されて、ＤＶＤに対する映像情報や音声情報の記録や再生を行うＤＶＤプレイヤー等であっても良く、あるいは、ＣＤに対する音声情報の記録や再生を行うＣＤプレイヤー等であっても良い。
【００７０】
また、上記では、ディスクドライブの一実施形態として、ＤＶＤに対して情報の記録と再生を行うＤＶＤドライブ１００を例示したが、このディスクドライブはこれに限るものではなく、例えば、ＤＶＤに対して情報の再生のみを行う再生専用のＤＶＤドライブであっても良く、ＣＤに対して情報の記録と再生を行うＣＤドライブであっても良く、ＣＤに対して情報の再生のみを行う再生専用のＣＤドライブ等であっても良い。
【００７１】
また、上記では、上述のクリーニングシステム、ディスクドライブ、およびクリーナの基本形態におけるクリーニング部材の一例として、目の粗さが互いに異なる３種類の素材が繋ぎ合わされたクリーニング部材２０２，４０２を例示したが、このクリーニング部材はこれらに限るものではなく、例えば、１種類の素材のみで形成されたものであっても良く、あるいは、３種類以外の数の複数種類の素材が繋ぎ合わされたもの等であっても良い。
【図面の簡単な説明】
【００７２】
【図１】ディスクドライブの具体的な実施形態が搭載されたパーソナルコンピュータを示す図である。
【図２】図１に示すＤＶＤドライブの詳細と、このＤＶＤドライブが備えるヘッドのレンズをクリーニングするクリーニングシステムとを示す図である。
【図３】図２に示すヘッドと移動機構とを詳細に示す図である。
【図４】図２に示すクリーニングシステムで実行されるクリーニング処理を示すフローチャートである。
【図５】別形態のクリーナを示す図である。
【符号の説明】
【００７３】
１０    パーソナルコンピュータ
１１    本体装置
１２    モニタ
１３    キーボード
１４    マウス
１００    ＤＶＤドライブ
１０１    ディスクトレー
１０１ａ    窪み
１０２    イジェクトボタン
１１０    駆動源
１１１    駆動軸
１２０    ヘッド
１２１    レンズ
１２２    レーザ
１２３    ミラー
１２４    ハーフミラー
１２５    受光素子
１３０    移動機構
１３１    台
１３２    レンズ枠
１３３    ボールネジ
１３４    ネジ受け部
１３５    コイル
１３６    磁石
１５０    ドライブユニット
１６０    筐体
１７０    ＣＰＵ
２００，４００    クリーナ
２０１，４０１    ディスク基板
２０１ａ    クリーニング面
２０２，４０２    クリーニング部材
２０２ａ，４０２ａ    ブラシ
２０２ｂ，４０２ｂ    フェルト
２０２ｃ，４０２ｃ    フセン紙
２０３，４０３，５０２    円形の穴
５００    ＤＶＤ
５０１    記録面
【図１】
2009230797.tif 000003
【図２】
2009230797.tif 000004
【図３】
2009230797.tif 000005
【図４】
2009230797.tif 000006
【図５】
2009230797.tif 000007